(57)【要約】【課題】測色器や周辺環境に与える熱の影響を排除しつつ、被記録材に記録された測色用パターンの乾燥を促進させて、記録実行後短時間で測色器による色情報の測定を実行できるようにした記録装置を提供すること。【解決手段】本発明に係る記録装置は、搬送される被記録材に記録する記録実行部と、該記録実行部で前記被記録媒体に記録された記録部位を測色する測色部と、前記記録実行部で記録された被記録媒体を乾燥する乾燥部とを備え、前記記録実行部、前記測色部、前記乾燥部が、この順番で被記録材の搬送方向に配設されている。【選択図】図１０
2008254221.tif 000002
【特許請求の範囲】
【請求項１】
搬送される被記録材に記録する記録実行部と、
該記録実行部で前記被記録媒体に記録された記録部位を測色する測色部と、
前記記録実行部で記録された被記録媒体を乾燥する乾燥部と、を備え、
前記記録実行部、前記測色部、前記乾燥部が、この順番で被記録材の搬送方向に配設されていることを特徴とする記録装置。
【請求項２】
搬送される被記録材に記録する記録実行部と、
該記録実行部で前記被記録媒体に記録された記録部位を測色する測色部と、
前記記録実行部で記録された被記録媒体に温風を当てて乾燥する温風乾燥部と、を備え、
前記記録実行部、前記測色部、前記温風乾燥部の風出口が、この順番で被記録材の搬送方向に配設されていることを特徴とする記録装置。
【請求項３】
請求項２に記載の記録装置において、
前記温風乾燥部は、切り替えにより温風と冷風を送風できるものであり、前記風出口からの風の吹き出し方向は前記測色部から遠ざかる方向であることを特徴とする記録装置。
【請求項４】
請求項２又は３に記載の記録装置において、
前記温風乾燥部の風出口と前記測色部とは共通のカバーにより覆われていることを特徴とする記録装置。
【請求項５】
請求項１から４のいずれか１項に記載の記録装置において、
前記測色部は、
測色時に測色用パターンが記録された被記録材の表面を押さえる押圧姿勢をとり、非測色時に前記押圧姿勢位置から退避して被記録材の搬送を可能にする退避姿勢をとる押さえ部材と、
該押さえ部材の押圧姿勢と退避姿勢とを切り替える回動シフト手段と、を備え、
前記乾燥部による乾燥動作時は、前記押さえ部材が押圧姿勢の位置をとる
ことを特徴とする記録装置。
【請求項６】
測色用パターンが記録された被記録材を測色領域を通過させて測色領域下流の乾燥領域に測色用パターンが位置するように搬送する乾燥領域送り工程と、
乾燥領域に送られた被記録材に記録された測色用パターンに対して温風を当てて測色用パターンの乾燥を行う測色用パターン乾燥工程と、
前記測色用パターンに更に冷風を吹きかけて被記録材及び周辺環境の温度を下げる測色環境安定化工程と、
前記測色用パターンが乾燥領域に位置している被記録材を上流側に戻し、当該測色用パターンを測色領域に位置させる測色領域戻し工程と、
測色領域に戻った測色用パターンに対して測色を実行する測色実行工程と、を含むことを特徴とする測色用パターンの乾燥・測色方法。
【発明の詳細な説明】
【技術分野】
【０００１】
本発明は、搬送される被記録材に記録する記録実行部と、該記録実行部で前記被記録媒体に記録された記録部位を測色する測色部とを備えた記録装置および被記録材に記録した測色用パターンを乾燥させ、測色する測色用パターンの乾燥・測色方法に関する。
【背景技術】
【０００２】
印刷物の製作現場では本印刷に入る前に校正刷りを行い、校正刷りした印刷見本に表示された画像や当該画像と一緒に表示されている認証用のカラーパッチを参考にして忠実に画像データの色が再現されているか否かを確認する色校正が従来から行われている。
【０００３】
一方、ＣＲＴモニタ上の画像の色と、プリンタやイメージセッタ等の出力装置から出力された上記印刷見本に表示された画像の色とをプロファイルと呼ばれているカラー管理ファイルに基づいて電子的にマッチングさせるデジタルマッチングが広く普及しており、印刷データの製作現場や印刷物の製作現場で実施されている。
【０００４】
また、最近では校正刷りに要する時間を短縮するために製版用の印刷データから直接、校正紙を出力する簡易校正と呼ばれている色校正の形態が広く普及しており、このような校正紙の出力に大型のインクジェットプリンタが使用されるようになっている。そして、大型のインクジェットプリンタを使用して校正紙を出力する場合には、上記認証用のカラーパッチやプロファイル作成用のカラーパッチの色情報を測色器と呼ばれている測定機器を使用して測定し、その測定結果に基づいてＣＲＴモニタ上での印刷データの色と比較して補正値を得、その色補正情報をインクジェットプリンタの記録制御装置であるプリンタドライバに供給するようにしている。
【０００５】
そして、このような測色器をインクジェットプリンタの記録ヘッドが搭載されているキャリッジに対して取り付けるようにしたカラープルーファ及びカラープルーファを使用したキャリブレーション方法が下記の特許文献１に開示されている。
【０００６】
しかし、このようなカラープルーファの場合には記録ヘッド走査用のキャリッジに対して直接測色器が取り付けられており、被記録材に記録された測色用パターンが乾くまでの間は測色器を走査できないため、そのままの状態で自然乾燥の場合であれば１５分前後という長い時間待機しなければならなかった。
【０００７】
この場合、プリンタ本体に対して強制乾燥機と測色器を組み合わせて乾燥時間の短縮を図ることが考えられる。しかし、強制乾燥機の熱が測色器に作用すると正確な色情報が得られなくなってしまい、強制乾燥機の熱が近傍の記録ヘッドを含めた周辺環境に悪影響を及ぼしてしまう。
【特許文献１】特開平１１−３２６０５６号公報
【発明の開示】
【発明が解決しようとする課題】
【０００８】
本発明は、このような問題点の存在を踏まえてなされたものであって、測色器や周辺環境に与える熱の影響を排除しつつ、被記録材に記録された測色用パターンの乾燥を促進させて、記録実行後短時間で測色器による色情報の測定を実行できるようにした記録装置及び測色用パターンの乾燥・測色方法を提供することを課題とするものである。
【課題を解決するための手段】
【０００９】
上記課題を解決するために本発明の第１の態様に係る記録装置は、搬送される被記録材に記録する記録実行部と、該記録実行部で前記被記録媒体に記録された記録部位を測色する測色部と、前記記録実行部で記録された被記録媒体を乾燥する乾燥部とを備え、前記記録実行部、前記測色部、前記乾燥部が、この順番で被記録材の搬送方向に配設されていることを特徴とするものである。
【００１０】
本態様によれば、記録実行部、測色部、乾燥部が、この順番で被記録材の搬送方向に配設されているので、すなわち乾燥部が測色部の下流側に位置されているので、測色部は乾燥部からの熱の影響を受け難くなり、測色部の測色精度に影響を及ぼさない。
【００１１】
本発明の第２の態様に係る記録装置は、搬送される被記録材に記録する記録実行部と、該記録実行部で前記被記録媒体に記録された記録部位を測色する測色部と、前記記録実行部で記録された被記録媒体に温風を当てて乾燥する温風乾燥部とを備え、前記記録実行部、前記測色部、前記温風乾燥部の風出口が、この順番で被記録材の搬送方向に配設されていることを特徴とするものである。
【００１２】
本態様によれば、前記第１の態様と同様の作用効果に加えて、測色部に隣り合って配設されるのは温風乾燥部全体ではなく、風出口部分だけにすることができるので、温風乾燥部の内に発熱源は測色部から遠ざけて別の場所に配置することで、測色部その他の周辺部への前記熱の影響を大幅に低減することができる。
【００１３】
本発明の第３の態様に係る記録装置は、前記第２の態様の記録装置において、前記温風乾燥部は、切り替えにより温風と冷風を送風できるものであり、前記風出口からの風の吹き出し方向は前記測色部から遠ざかる方向であることを特徴とするものである。
【００１４】
本態様によれば、第２の態様の作用効果に加えて、例えば温風発生部をＯＦＦにして取り込んだエアを冷風として使用して温められた被記録材や周辺環境の温度を下げることができる。また、前記風出口からの風の吹き出し方向は前記測色部から遠ざかる方向であるので、更に一層測色部への熱の影響を低減することができる。
【００１５】
本発明の第４の態様に係る記録装置は、前記第２又は第３の態様の記録装置において、前記温風乾燥部の風出口と前記測色部とは共通のカバーにより覆われていることを特徴とするものである。
【００１６】
本態様によれば、風出口からの風の吹き出しによって当該カバー内が負圧となり、外気を当該カバー内に吸い込むので、測色部及び乾燥部全体を効果的に冷やすことができる。この冷やし効果は温風吹き出し時および冷風吹き出し時のいずれも発現される。
【００１７】
本発明の第５の態様に係る記録装置は、前記第１から第４の態様のいずれか１つの記録装置において、前記測色部は、測色時に測色用パターンが記録された被記録材の表面を押さえる押圧姿勢をとり、非測色時に前記押圧姿勢位置から退避して被記録材の搬送を可能にする退避姿勢をとる押さえ部材と、該押さえ部材の押圧姿勢と退避姿勢とを切り替える回動シフト手段とを備え、前記乾燥部による乾燥動作時は、前記押さえ部材が押圧姿勢の位置をとることを特徴とするものである。
【００１８】
本態様によれば、測色部の構成要素である前記押さえ部材を、乾燥時或いは冷却時において前記押圧姿勢の位置を取らせることで、遮蔽板として機能させることができる。よって、該遮蔽版によって前記熱の影響を効果的に低減することができる。
【００１９】
本発明の第６の態様に係る測色用パターンの乾燥・測色方法は、測色用パターンが記録された被記録材を測色領域を通過させて測色領域下流の乾燥領域に測色用パターンが位置するように搬送する乾燥領域送り工程と、乾燥領域に送られた被記録材に記録された測色用パターンに対して温風を当てて測色用パターンの乾燥を行う測色用パターン乾燥工程と、前記測色用パターンに更に冷風を吹きかけて被記録材及び周辺環境の温度を下げる測色環境安定化工程と、前記測色用パターンが乾燥領域に位置している被記録材を上流側に戻し、当該測色用パターンを測色領域に位置させる測色領域戻し工程と、測色領域に戻った測色用パターンに対して測色を実行する測色実行工程と、を含むことを特徴とするものである。
【００２０】
本態様によれば、被記録材の搬送方向を下流へ向かう通常の送り方向と、上流へ向かう戻し方向とに切り替えることで、記録実行後の測色用パターンを先に乾燥させて乾燥した測色用パターンを測色部の測色領域に移動させることが可能になる。従って、記録実行後測色を行うまでの時間を大幅に短縮することができる。また一旦、温風によって温めた測色用パターンを冷風によって冷却することによって被記録材の性状や周辺環境が安定化する。従って、このような工程を経て測色が実行されることによって測色精度の向上が図られる。
【発明を実施するための最良の形態】
【００２１】
以下、本願発明に係る記録装置、該測色装置ユニットを使用することによって実行される測色用パターンの乾燥・測色方法について説明する。最初に、本願発明の記録装置を実施するための最良の形態としてインクジェットプリンタ１００を採り上げて、その全体構成の概略を図面に基づいて説明する。尚、ここで説明するインクジェットプリンタ１００は、例えばＡ３プラス（ノビ）サイズ以上のシート状の大判の被記録材Ｐ（以下単票紙Ｐともいう）や上述したＡ１プラス（ノビ）サイズやＢ０プラス（ノビ）サイズといったロール状の大判の被記録材Ｒ（以下ロール紙Ｒともいう）に対して記録を実行することができる大型のインクジェットプリンタである。
【００２２】
図１は本体カバーを装着した状態のインクジェットプリンタの外観を示す斜視図、図２は本体カバーを装着した状態のインクジェットプリンタの外観を示す側面図である。図３は本体カバーを取り外した状態のインクジェットプリンタを示す斜視図、図４は本体カバーを取り外した状態のインクジェットプリンタを示す側面図である。また図５は搬送用ローラと、記録ヘッド周辺を拡大して示す側断面図である。
【００２３】
図示のインクジェットプリンタ１００は、図３及び図４に示すように記録装置本体の一例であるプリンタ本体３を備えており、該プリンタ本体３は、図１及び図２に示すようにプリンタ本体３を覆い隠すことのできる本体カバー２によって覆われている。また、上記プリンタ本体３の後部寄りの上部には、ロール紙Ｒを保持することのできるスピンドルと、一対のフランジ状のロール紙押さえとによって構成されているロール紙ホルダ５が設けられている。また、プリンタ本体３の前面の一例として、左端寄りの部分には各色のインクカートリッジを個別に収容することができる複数のカートリッジスロットを備えたカートリッジホルダ８が設けられている。
【００２４】
また、インクジェットプリンタ１００の前面の一例として右端寄りの部分には、各種の操作指令を司る操作パネル９が適宜のブラケットによって支持されて設けられている。また、プリンタ本体３には約６０°の前下がり傾斜姿勢で搬送案内板１１が設けられており、ロール紙ホルダ５によって保持されているロール紙Ｒと単票紙Ｐの搬送方向Ａとなる前部下方に向けて案内している。また、ロール紙Ｒと単票紙Ｐの搬送経路の上流位置には搬送用駆動ローラ１９と搬送用従動ローラ２０の一対のニップローラによって構成されている搬送用ローラ２１が設けられている。尚、上記搬送用駆動ローラ１９は、正逆転可能なローラであり、上記搬送用ローラ２１によって挟持されたロール紙Ｒや単票紙Ｐは、前部下方への送り方向Ａと後部上方への戻し方向Ｆとに搬送されるようになっている。
【００２５】
また、上記搬送用ローラ２１の下流には、記録ポジション２６が設けられており、記録ポジション２６の上方にはキャリッジ１０によって保持された記録ヘッド１３がプリンタ本体３の幅方向に往復移動できるようになっている。また、上記記録ヘッド１３の下方には、ギャップＰＧを隔てて位置するプラテン２８が設けられており、該プラテン２８に形成されている吸引孔２９からのエア吸引によってプラテン２８上を搬送されるロール紙Ｒや単票紙Ｐは、プラテン２８上に吸着保持されながら後述する測色領域８０及び乾燥領域８１に向けて搬送される。
【００２６】
そして、上記測色領域８０と乾燥領域８１に跨るスペースにフード状のカバー３０が取り付けられている。
【００２７】
［実施例］
次に、このようにして構成されるインクジェットプリンタ１００に対して装着される本発明の測色部を成す測色装置８２と乾燥部である乾燥装置８３を使用することによって実行される本発明の測色用パターンの乾燥・測色方法について具体的に説明する。
【００２８】
図６は測色装置８２と乾燥装置８３の配置態様を模式的に示す側断面図、図７は測色装置の主要な内部構造を示す斜視図である。図８は乾燥装置の外観を示す斜視図、図９は吹出しカバーを取り外した状態の乾燥装置を示す斜視図である。図１０は測色用パターンの乾燥・測色方法を構成する各工程を示す説明図である。
【００２９】
乾燥装置８３は、測色装置８２のロール紙Ｒや単票紙Ｐの搬送方向Ａの下流位置に配置されている。測色装置８２の上流位置に前記記録ポジション２６で被記録材への記録を実行する記録実行部７が位置する構成である。
【００３０】
測色装置８２は、測色器３１と、測色器ホルダ３２と、キャリッジ往復動手段３３と、押さえ部材３４と、回動シフト手段３５と、ホワイトタイル３６と、タイルホルダ３７とを備えている。測色器３１はロール紙Ｒや単票紙Ｐに対して記録を実行した測色用パターンＢ（以下測色用パターンの代表的な例であるカラーパッチＢの語も使用する）に対して光を照射し、カラーパッチＢに反射して戻って来た光に基づいて色校正用の色情報を測定するための測定機器であり、図６に示すような角箱状の外観形状を有している。
【００３１】
尚、上記色情報としてはホワイトバランス、色度、明度によってカラー値を定義するＬａｂカラーモードに基づく色情報が一例として使用できる。またモニタ側ではＲＢＧカラーモードが、インクジェットプリンタ１００側ではＣＭＹＫカラーモードがそれぞれ使用されるから測色器３１によって測定したＬａｂカラーモードに基づく色情報をそれぞれＲＢＧカラーモードまたはＣＭＹＫカラーモードに変換してモニタ側ないしインクジェットプリンタ１００側の補正値を算出して適用することができる。
【００３２】
測色器ホルダ３２は、その前面、上面、底面が開放されたホルダーケースと、該ホルダーケースの上面を覆うケースカバーとを備えた上記測色器３１用の保持部材である。また、測色器ホルダ３２の下面には一例としてベアリングによって構成されている４個の走行車輪４７が遊転自在に取り付けられている。
【００３３】
尚、上記走行車輪４７は、後述する押さえ部材３４における押さえ板４８に対して長手方向である後述する測色パターンの作る列方向（被記録材の幅方向）Ｃに延びるように形成されている長穴状の長孔４９を跨ぐようにして押さえ板４８の表面（上面）の一部に当接して転がり接触する。
【００３４】
キャリッジ往復動手段３３は、上記測色器ホルダ３２によって保持されている測色器３１を測色パターンの作る列方向Ｃに往復移動させる手段である。具体的には、追従機構４４を介して測色器ホルダ３２に接続され、測色器３１と共に往復移動する測色器用キャリッジ５１と、該測色器用キャリッジ５１を案内する主軸５２と副軸５３とによって構成されている２本のガイド軸と、上記測色器用キャリッジ５１を往復移動させる際の駆動源となるリターンポジション側に配置されるキャリッジ駆動モータ５４と、該キャリッジ駆動モータ５４の出力軸に取り付けられているピニオンギヤと、該ピニオンギヤと噛み合う伝達ギヤと、伝達ギヤと一体の駆動プーリと、ホームポジション側に設けられる従動プーリと、上記駆動プーリと従動プーリとの間に巻回され、その一部が上記測色器用キャリッジ５１に係止されている無端帯状のタイミングベルト５９とを備えることによってキャリッジ往復動手段３３は構成されている。
【００３５】
尚、このキャリッジ往復動手段３３によって往復移動（走査）できる往復移動方向（測色パターンの作る列方向）Ｃのストロークは、カラーパッチＢが往復移動方向Ｃに並設された長さに合わせて約１７インチ程度に設定されている。従って、Ｂ０プラス（ノビ）サイズまで記録ができるインクジェットプリンタ１００の移動ストロークが約４４インチであるのに比べて短くなっている。
【００３６】
追従機構４４は、上記測色器ホルダ３２の下面に設けられている走行車輪４７が後述する押さえ板４８上に常に接地して走行できるようにするための機構で、後述するタイルホルダ３７と押さえ板４８間の移動を円滑にする役割も有している。
【００３７】
押さえ部材３４は、測色時にカラーパッチＢが記録されたロール紙Ｒや単票紙Ｐの表面を押さえる押圧姿勢をとり、非測色時に上方に跳ね上がってロール紙Ｒや単票紙Ｐの搬送を可能にする退避姿勢をとるように回動する部材である。具体的には、一体に設けられる回動軸６２を中心にして約９０°の範囲に亘って回動する回動レバー６３と、該回動レバー６３の回動自由端に対して回動ピン６４を介して回動自在に接続される上述した押さえ板４８と、上記回動レバー６３と押さえ板４８との間に設けられる図示しない押さえ板支持バネと、押さえ板加圧バネとを備えることによって押さえ部材３４は構成されている。
【００３８】
回動レバー６３は、往復移動方向Ｃに長い湾曲した板状のレバーで、回動基端側に左右外方に突出するように上記回動軸６２が一体に形成されている。また、左右の回動軸６２には約９０°の範囲に亘って歯が形成されている扇形ギヤ６７が設けられている。押さえ板４８は、往復移動方向Ｃに長い平板状の部材で、押さえ板４８の上面中央には往復移動方向Ｃに延びる上述した長孔４９が押さえ板４８の押圧面（下面）にかけて貫通するように形成されている。
【００３９】
回動シフト手段３５は、上記押さえ部材３４の押圧姿勢と退避姿勢とを切り替えるための手段である。具体的には駆動源である押さえ部材用駆動モータ７０と、該押さえ部材用駆動モータ７０の回転を上記扇形ギヤ６７に伝達するためのギヤ輪列７１とを備えることによって回動シフト手段３５は構成されている。また、ホワイトタイル３６は非測色時に上記測色器３１のキャリブレーションを実行するためのセラミックス製のタイルである。そして、上記ホワイトタイル３６は着脱可能な状態でタイルホルダ３７によって保持されている。
【００４０】
また、上記ホワイトタイル３６を保持したタイルホルダ３７は、カラーパッチＢが記録されたロール紙Ｒや単票紙Ｐが通る搬送経路側方の上記キャリッジ往復動手段３３のホームポジション領域に設けられている。そして、測色器用キャリッジ５１がホームポジションに位置する非測色時には、上記測色器３１によって上記ホワイトタイル３６の上面を被覆してホワイトタイル３６の上面への埃等の付着を防止している。
【００４１】
乾燥装置８３は、本実施例では温風乾燥装置であり、外部からエアＧを取り込む吸引ファン８４と、取り込んだエアＧを温めるヒータ８９と、吸引ファン８４によって取り込まれたエアＧを温風Ｈにして、あるいは冷風Ｌのまま測色領域８０の下流域の乾燥領域８１に導く風導８５と、該風導８５を通って吹き出される温風Ｈないし冷風Ｌが上述した測色装置８２側に作用しないように更に下流域に向けて斜めに吹き出されるように指向する吹出しカバー８６とを備えている。
【００４２】
吸引ファン８４は、リターンポジション側の端部に設けられている角筒状のファンボックス８７内に収容されており、ファンボックス８７の端面に形成されている吸気口８８から外部のエアＧを取り込み、後述する風導８５内に供給するように構成されている。ヒータ８９は、上記ファンボックス８７の隣に設けられており、ファンボックス８７と同様、角筒状をしたヒータボックス９０内に収容されている。尚、上記ヒータ８９のＯＮ、ＯＦＦ状態を切り替えることによって風導８５内に供給されるエアＧが温風Ｈになり、冷風Ｌになる。
【００４３】
風導８５は上記測色装置８２に面する後面と、上記ヒータボックス９０と接続される側の端面とが開放された測色用パターンの作る列方向Ｃに長い角箱状の部材である。また、風導８５の内部には、図９に示すように風導８５内に送り込まれた温風Ｈないし冷風Ｌを測色用パターンの作る列方向Ｃに並設されているすべてのカラーパッチＢに均等に導くための案内フィン９１が設けられている。そして、上記風導８５の開放された後面を塞ぐ部材が図８に示す吹出しカバー８６である。
【００４４】
吹出しカバー８６は蓋状の部材で下部側が幾分膨らんだ形状をしていて吹出し口である風出口９２がプリンタ本体３の搬送案内板１１に温風Ｈが作用しないよう斜め前方を向くように設けられている。また、上記風出口９２の測色用パターンの作る列方向Ｃにおける幅は、並設されたカラーパッチＢの幅、ないし前記押さえ板４８に形成されている長孔４９の前記列方向Ｃの幅とほぼ同じ寸法に設定されている。
【００４５】
当該乾燥装置８３と前記測色装置８２とは図１及び図２に示したように、共通のカバー３０により覆われている。このカバー３０により、風出口９２からの風の吹き出しによって当該カバー３０内が負圧となり、外気を当該カバー３０内に吸い込むので、測色装置８２及び乾燥装置８３全体を効果的に冷やすことができる。この冷やし効果は温風吹き出し時および冷風吹き出し時のいずれも発現される。
【００４６】
次に、このようにして構成される本発明に係る記録装置の作用を、図１０に示した本発明の測色用パターンの乾燥・測色方法にそって説明する。  
本発明の測色用パターンの乾燥・測色方法は、図１０（ａ）に示す（１）乾燥領域送り工程と、図１０（ｂ）に示す（２）測色用パターン乾燥工程と、図１０（ｃ）に示す（３）測色環境安定化工程と、図１０（ｄ）に示す（４）測色領域戻し工程と、図１０（ｅ）に示す（５）測色実行工程とを順次実行することによって構成されている。
【００４７】
（１）乾燥領域送り工程（図１０（ａ）参照）
本工程では、カラーパッチＢが記録されたロール紙Ｒや単票紙Ｐを測色領域８０を通過させて測色領域８０下流の乾燥領域８１にカラーパッチＢが位置するように搬送させる。具体的には、搬送用駆動ローラ１９を正転方向に回転させてロール紙Ｒや単票紙Ｐを前部下方の送り方向Ａに搬送し、ロール紙Ｒや単票紙Ｐの紙端の位置を適宜の位置に設けられる始端検知センサ９３によって検出し、ロール紙Ｒや単票紙Ｐに記録されたカラーパッチＢが乾燥領域８１に到達したところで搬送用駆動ローラ１９の回転を停止させる。
【００４８】
（２）測色用パターン乾燥工程（図１０（ｂ）参照）
本工程では、乾燥領域８１に送られたロール紙Ｒや単票紙Ｐに記録されたカラーパッチＢに対して温風Ｈを吹きかけてカラーパッチＢの乾燥を促す。具体的には、吸引ファン８４とヒータ８９を作動させて吸引ファン８４によって外部から取り込んだエアＧを温めて温風Ｈにし、温風Ｈを風導８５内に送り込む。そして、風導８５内の案内フィン９１によって仕切られた各流路に温風Ｈを供給し、吹出しカバー８６の風出口９２からカラーパッチＢに向けて温風Ｈを均一に当ててカラーパッチＢを乾燥させる。尚、本工程での乾燥時間は２〜３分であり、従来の乾燥時間が１５分前後であったのと比較すると大幅に乾燥時間が短縮されている。
【００４９】
また、この測色用パターン乾燥工程では測色を行わないが、測色装置８２における押さえ部材３４は被記録材に密に接触する押圧姿勢をとらせる。これにより、当該押さえ部材３４が温風に対する遮蔽板として機能し、記録ヘッド１３側への温風Ｈの流れを防止する。従って、温度センサを有し温度に敏感に反応し、影響を受け易い記録ヘッド１３の記録品質の低下をも防止する。また、風出口９２から吹き出される温風Ｈ（冷風Ｌも）は、斜め前方下流に向けて指向されているため、カラーパッチＢが記録されているロール紙Ｒや単票紙Ｐのみに作用し、搬送案内板１１や上流の測色装置８２に熱が伝わりにくくなっている。
【００５０】
（３）測色環境安定化工程（図１０（ｃ）参照）
本工程では、カラーパッチＢに更に冷風Ｌを吹きかけてロール紙Ｒや単票紙Ｐ及び周辺環境の温度を下げる。具体的には、吸引ファン８４のみを作動させて吸引ファン８４によって外部から取り込んだエアＧを冷風Ｌとして、そのまま風導８５内に送り込み、吹出しカバー８６の風出口９２からカラーパッチＢに向けて冷風Ｌを均一に当ててロール紙Ｒや単票紙Ｐ等の温度を当初の温度に下げる。そして、温度の低下によりロール紙Ｒや単票紙Ｐの性状や周辺環境の安定化が図られる。
【００５１】
（４）測色領域戻し工程（図１０（ｄ）参照）
本工程では、カラーパッチＢが乾燥領域８１に位置しているロール紙Ｒや単票紙Ｐを上流側に戻し、該カラーパッチＢを測色領域８０に位置させる。具体的には、押さえ部材３４を退避姿勢に戻し、搬送用駆動ローラ１９を逆転方向に回転させて、ロール紙Ｒや単票紙Ｐを後部上方の戻し方向Ｆに戻し、ロール紙Ｒや単票紙Ｐに記録されたカラーパッチＢが測色領域８０に位置したところで搬送用駆動ローラ１９の回転を停止させる。
【００５２】
（５）測色実行工程（図１０（ｅ）参照）
本工程では、測色領域８０に戻ったカラーパッチＢに対して測色を実行する。具体的には、押さえ部材用駆動モータ７０を作動させて跳ね上がっていた状態の押さえ部材３４を下方に回動させてカラーパッチＢの周囲のロール紙Ｒや単票紙Ｐの表面に押さえ板４８を密着させてロール紙Ｒや単票紙Ｐを搬送案内板１１上に固定する。次に、キャリッジ駆動モータ５４を作動させて測色器用キャリッジ５１をホームポジションから測色領域８０に移動させ、リターンポジションに向けて測色器３１を移動させる。
【００５３】
この時、測色器３１の下端部の一部が押さえ板４８に形成されている長孔４９内に進入した状態で追従機構４４による追従機能と走行車輪４７による円滑な転がり接触とによって正確な移動が実現される。また、測色器３１によって測定されたカラーパッチＢの色情報は、本実施例では図示しない処理装置に送られ、モニタに映し出されている画像の色情報と比較して補正値を算出して、インクジェットプリンタ１００のプリンタドライバに供給され、以後の記録の実行に反映される。
【００５４】
一方、測色を終了し、リターンポジションに位置していた測色器３１は、キャリッジ駆動モータ５４の逆転によってホームポジションに向けて移動を開始する。そして、測色器３１がホームポジションに到達すると、キャリブレーションが実行されると共にホワイトタイル３６の上面を測色器３１が覆ってホワイトタイル３６上面への埃等の付着を防止する。続いて、押さえ部材用駆動モータ７０が逆転方向に回転して押さえ部材３４を上方に跳ね上がった退避姿勢にし、ロール紙Ｒや単票紙Ｐの次の搬送に備える。
【００５５】
［他の実施例］
本願発明に係る記録装置は、以上述べたような構成を基本とするものであるが、本願発明の要旨を逸脱しない範囲内の部分的構成の変更や省略等を行なうことも勿論可能である。例えば、測色装置に隣り合って配設されるのは温風乾燥装置全体ではなく、風出口部分だけにする。即ち、温風乾燥装置の内に発熱源（ヒータ）は測色装置から遠ざけて別の場所に配置する。これにより、測色装置その他の周辺部への前記熱の影響を大幅に低減することができる。
【図面の簡単な説明】
【００５６】
【図１】本体カバー装着時のインクジェットプリンタの外観を示す斜視図。
【図２】本体カバー装着時のインクジェットプリンタの外観を示す側面図。
【図３】本体カバー取外し時のインクジェットプリンタを示す斜視図。
【図４】本体カバー取外し時のインクジェットプリンタを示す側面図。
【図５】搬送用ローラと記録ヘッド周辺を拡大して示す側断面図。
【図６】測色装置ユニットの配置態様を示す側断面図。
【図７】測色装置の主要な内部構造を示す斜視図。
【図８】乾燥装置の外観を示す斜視図。
【図９】吹出しカバーを取り外した状態の乾燥装置を示す斜視図。
【図１０】測色用パターンの乾燥・測色方法の各工程を示す説明図。
【符号の説明】
【００５７】
２  本体カバー、３  プリンタ本体（記録装置本体）、５  ロール紙ホルダ、８  カートリッジホルダ、９  操作パネル、１０  キャリッジ、１１  搬送案内板、１３  記録ヘッド、１９  搬送用駆動ローラ、２０  搬送用従動ローラ、２１  搬送用ローラ、２６  記録ポジション、２８  プラテン、２９  吸引孔、３０  ユニットカバー、３１  測色器、３２  測色器ホルダ、３３  キャリッジ往復動手段、３４  押さえ部材、３５  回動シフト手段、３６  ホワイトタイル、３７  タイルホルダ、４４  追従機構、４７  走行車輪、４８  押さえ板、４９  長孔、５１  測色器用キャリッジ、５２  主軸（ガイド軸）、５３  副軸（ガイド軸）、５４  キャリッジ駆動モータ、５９  タイミングベルト、６２  回動軸、６３  回動レバー、６４  回動ピン、６７  扇形ギヤ、７０  押さえ部材用駆動モータ、７１  ギヤ輪列、８０  測色領域、８１  乾燥領域、８２  測色装置、８３  乾燥装置、８４  吸引ファン、８５  風導、８６  吹出しカバー、８７  ファンボックス、８８  吸気口、８９  ヒータ、９０  ヒータボックス、９１  案内フィン、９２  吹出し口、９３  始端検知センサ、１００  インクジェットプリンタ（記録装置）、Ｐ  単票紙（被記録材）、Ｒ  ロール紙（被記録材）、Ａ  搬送方向（送り方向）、Ｂ  カラーパッチ（測色用パターン）、Ｃ  走査方向、ＰＧ  ギャップ、Ｇ  エア、Ｈ  温風、Ｌ  冷風、Ｆ  戻し方向
【図１】
2008254221.tif 000003
【図２】
2008254221.tif 000004
【図３】
2008254221.tif 000005
【図４】
2008254221.tif 000006
【図５】
2008254221.tif 000007
【図６】
2008254221.tif 000008
【図７】
2008254221.tif 000009
【図８】
2008254221.tif 000010
【図９】
2008254221.tif 000011
【図１０】
2008254221.tif 000012